(57)【特許請求の範囲】
【請求項１】
フレーム部材に回転可能に支持され且つ用紙に当接しながら回転するドラムから当該用紙を分離する用紙分離装置であって、
上記フレーム部材に着脱可能に取付けられる固定板と、
上記用紙を上記ドラムから分離するための分離爪と上記用紙をガイドするためのガイド部材とを、係合部が設けられたホルダーに保持させてなる第１アセンブリと、上記係合部が設けられたホルダーに、上記分離爪を保持させずに上記ガイド部材のみを保持させてなる第２アセンブリと、の２種類のアセンブリと、を備え、
上記フレーム部材及び上記固定板の双方には、それぞれ、上記ホルダーの係合部に係合する被係合部を有するアセンブリ固定部が設けられており、
上記２種類のアセンブリのうちの一方の種類のアセンブリは、上記固定板に設けられたアセンブリ固定部に固定され、他方の種類のアセンブリは、上記フレーム部材に設けられたアセンブリ固定部に固定される、用紙分離装置。
【請求項２】
請求項１記載の用紙分離装置において、
上記ホルダーは、上記係合部としての第１及び第２係合爪を有し、
上記固定板に設けられるアセンブリ固定部は、該固定板から突出して互いに間隔を空けて配置される第１及び第２突出部と、上記第１突出部に形成されて上記第１係合爪に係合する上記被係合部としての第１被係合孔部と、上記第２突出部に形成されて上記第２係合爪に係合する上記被係合部としての第２被係合孔部とを有し、
上記フレーム部材における上記固定板の取付面には、上記第１係合爪の係合解除側への変位を規制する規制部が設けられている、用紙分離装置。
【請求項３】
請求項１又は２記載の用紙分離装置において、
上記第１アセンブリは、上記固定板に設けられたアセンブリ固定部に固定され、上記第２アセンブリは、上記フレーム部材に設けられたアセンブリ固定部に固定されている、用紙分離装置。
【請求項４】
請求項１乃至３のいずれか一項に記載の用紙分離装置を備えた画像形成装置。
【請求項５】
請求項４記載の画像形成装置において、
上記ドラムは、感光体ドラムである、画像形成装置。
【発明の詳細な説明】
【技術分野】
【０００１】
本発明は、用紙分離装置及び該用紙分離装置を備えた画像形成装置に関する。
【背景技術】
【０００２】
従来より、感光体ドラムを有する電子写真方式の画像形成装置として、ドラム周面から用紙を分離するための分離装置を備えたものが知られている（例えば、特許文献１参照）。分離装置は、先端部が感光体ドラムの周面に当接する複数の分離爪を有している。各分離爪はそれぞれ、用紙をガイドするためのガイドローラーと共にホルダーに保持されてアセンブリ化されている。各アセンブリは、感光体ドラムの軸方向に間隔を空けて配置されている。感光体ドラムを支持するドラムフレームには、各アセンブリを固定するための固定部が形成されている。この固定部は、複数の突出部と、該突出部に形成された係合孔部とにより構成されている。そして、各アセンブリは、ホルダーに形成された係合爪を、上記突出部に形成された係合孔部に係合させることでドラムフレームに固定されている。
【先行技術文献】
【特許文献】
【０００３】
【特許文献１】特開２０１２−１２８１９６号公報
【発明の概要】
【発明が解決しようとする課題】
【０００４】
ところで、上記特許文献１に示す従来の分離装置及び画像形成装置において、分離爪により分離された用紙の搬送性を向上させるためには、ガイドローラー（ガイド部材）の数を増やすことが好ましい。
【０００５】
しかし、ガイド部材の数を増やすと、ガイド部材をドラムフレームに固定するための部材を新たに用意する必要があるので、コスト増加を招くという問題がある。そこで、上記ホルダーをガイド部材の固定用部材として利用することが考えられる。これにより、部品の共通化を図ってコストを低減することができる。
【０００６】
しかしこの場合、ホルダーに分離爪とガイド部材とを保持させてなる第１アセンブリと、ホルダーにガイド部材のみを保持させてなる第２アセンブリと、の２種類のアセンブリを用意する必要がある。この２種類のアセンブリは同じホルダーを使用しているため、作業者が各アセンブリをドラムフレームに組付ける際に、本来、第１アセンブリを組付ける箇所に第２アセンブリを組み付けてしまったり、第２アセンブリを組み付ける箇所に第１アセンブリを組み付けてしまったりという問題が生じ易い。
【０００７】
本発明は、かかる点に鑑みてなされたものであり、その目的とするところは、安価な構成により用紙の搬送性（ガイド性）を向上させつつ、誤組みを防止することができる用紙分離装置及び画像形成装置を提供することにある。
【課題を解決するための手段】
【０００８】
本発明に係る用紙分離装置は、フレーム部材に回転可能に支持され且つ用紙に当接しながら回転するドラムから当該用紙を分離する装置である。
【０００９】
そして、上記フレーム部材に着脱可能に取付けられる固定板と、上記用紙をドラムから分離するための分離爪と上記用紙をガイドするためのガイド部材とを、係合部が設けられたホルダーに保持させてなる第１アセンブリと、上記係合部が設けられたホルダーに、上記分離爪を保持させずに上記ガイド部材のみを保持させてなる第２アセンブリと、の２種類のアセンブリと、を備え、上記フレーム部材及び上記固定板の双方には、それぞれ、上記ホルダーの係合部に係合する被係合部を有するアセンブリ固定部が設けられており、上記２種類のアセンブリのうちの一方の種類のアセンブリは、上記固定板に設けられたアセンブリ固定部に固定され、他方の種類のアセンブリは、上記フレーム部材に設けられたアセンブリ固定部に固定される。
また、本発明に係る画像形成装置は、上記用紙分離装置を備えている。
【発明の効果】
【００１０】
本発明によれば、安価な構成により用紙の搬送性を向上させつつ、誤組みを防止することができる用紙分離装置及び画像形成装置が提供される。
【図面の簡単な説明】
【００１１】
【図１】図１は、実施形態における用紙分離装置を備えた画像形成装置としての複写機を示す斜視図である。
【図２】図２は、複写機の内部構造を示す概略図である。
【図３】図３は、複写機の右側カバーを外した状態を示す斜視図である。
【図４】図４は、感光体ドラムユニットを示す斜視図である
【図５】図５は、ドラムフレームに設けられたクリーニング部を示す概略の拡大断面図である。
【図６】図６は、第１アセンブリを示す斜視図である。
【図７】図７は、第２アセンブリを示す斜視図である。
【図８】図８は、ドラムフレームを示す斜視図である。
【図９】図９は、ドラムフレームに形成された第１アセンブリ固定部を拡大して示す斜視図である。
【図１０】図１０（ａ）は、図８のＡ−Ａ線断面図であり、図１０（ｂ）は、図８のＢ−Ｂ線断面図である。
【図１１】図１１は、固定板を示す斜視図である。
【図１２】図１２は、固定板に形成された第２アセンブリ固定部を拡大して示す斜視図である。
【図１３】図１３は、第１及び第２アセンブリのドラムフレームへの組付け手順を説明するための説明図である。
【図１４】図１４は、固定板に形成された第２アセンブリ固定部に第２アセンブリを組付けた状態を示す斜視図である。
【図１５】図１５は、ドラムフレームの第１アセンブリ固定部に第１アセンブリを組付けた状態を示す斜視図である。
【図１６】図１２のXVI−XVI線断面図である。
【図１７】実施形態２における第２アセンブリのドラムユニットへの組付け状態を示す斜視図である。
【発明を実施するための形態】
【００１２】
以下、本発明の実施形態を図面に基づいて詳細に説明する。尚、本発明は、以下の実施形態に限定されるものではない。
《実施形態１》
【００１３】
図１は、本実施形態における用紙分離装置３１を備えた画像形成装置としてのデジタル複写機１（以下、単に複写機という）を示している。この複写機１は、本体筐体部６０とその上側に配置されたスキャナ筐体部６５とを有している。スキャナ筐体部６５内には、原稿画像を読み取るためのスキャナ部６６（図２参照）が収容され、本体筐体部６０内には、スキャナ部６６が読み取った原稿画像を用紙Ｐに印刷するための画像形成部２０が収容されている。スキャナ筐体部６５の側面には、ユーザーが複写機１に対して各種の操作指示を行うための操作パネル２００が設けられている。
【００１４】
図２に示すように、本体筐体部６０内には、給紙部１０、画像形成部２０、定着部４０が収容されている。本体筐体部６０の上面部には、排紙部５０が形成さている。給紙部１０から排紙部５０に至る用紙搬送経路Ｌには、用紙Ｐを挟持して搬送する複数の搬送ローラー対１１〜１３が配置されている。
【００１５】
上記給紙部１０は、本体筐体部６０内の下部に配置されている。給紙部１０は、シート状の用紙Ｐが収容される給紙カセット１０ａと、該給紙カセット１０ａ内の用紙Ｐを取り出して該カセット外に送り出すためのピックアップローラー１０ｂとを有している。給紙カセット１０ａよりカセット外に送り出された用紙Ｐは、搬送ローラー対１１を介して画像形成部２０に供給される。画像形成部２０では、給紙部１０より供給された用紙Ｐに対して所定の画像データ（例えばスキャナ部６６にて読み取った原稿画像のデータ）に基づくトナー像を転写すると共に、該転写後の用紙Ｐを定着部４０に供給する。定着部４０では、画像形成部２０より供給される用紙Ｐを定着ローラー４０ａ及び加圧ローラー４０ｂ間で加圧することにより、当該用紙Ｐにトナー像を定着させる。そして、定着部４０にてトナー像が定着された用紙Ｐは、両ローラー４０ａ，４０ｂにより下流側へと送り出される。定着部４０より送り出された用紙Ｐは、複数の搬送ローラー対１２，１３を介して上記排紙部５０に排出される。
【００１６】
上記画像形成部２０は、感光体ドラム２１を有している。感光体ドラム２１の周囲には１０時の方向を基準として図の反時計回り方向に、帯電器２３、露光装置２５、現像器２７、転写器２９、用紙分離装置３１、クリーニング装置３３、及び除電器３５がこの順で配置されている。
【００１７】
上記帯電器２３は、帯電ローラー２３ａを介して感光体ドラム２１の周面を均一に帯電させる。上記露光装置２５は、感光体ドラム２１の周面にレーザー光を照射することで、所定の画像データに応じた静電潜像を形成する。
【００１８】
上記現像器２７は、感光体ドラム２１の周面の静電潜像にトナーを供給してトナー像として顕像化する。転写器２９は、転写ローラー２９ａに転写バイアスを印加することで、感光体ドラム２１の周面に形成されたトナー像を用紙Ｐに転写させる。
【００１９】
図３及び図４に示すように、感光体ドラム２１、用紙分離装置３１及びクリーニング装置３３は、ドラムフレーム７１を介してユニット化されてドラムユニット７０を構成している。
【００２０】
上記ドラムフレーム７１は、感光体ドラム２１の軸方向の両端部を回転可能に支持する一対の側壁部７１ａと、両側壁部７１ａ間に跨るクリーニングケース部７１ｂとを有している。クリーニングケース部７１ｂは、クリーニング装置３３の外壁部を構成している。
【００２１】
図５に示すように、クリーニング装置３３は、摺擦ローラー３３ａ、搬送スクリュー３３ｂ及びクリーニングブレード３３ｃを有している。摺擦ローラー３３ａ及び搬送スクリュー３３ｂは、クリーニングケース部７１ｂ内に収容されている。摺擦ローラー３３ａは、感光体ドラム２１に当接しながら回転することで、該ドラム２１の周面に付着した放電生成物等の異物を削り取る。クリーニングブレード３３ｃは、クリーニングケース部７１ｂにおけるドラム回転方向の下流側端部に取付けられている。クリーニングブレード３３ｃは、その先端部を感光体ドラム２１の周面に当接させることで、該ドラム２１の周面に付着した残トナーを掻き取る。クリーニングブレード３３ｃにより掻き取られたトナーは、搬送スクリュー３３ｂによってクリーニング装置３３の外部に設けられたトナー回収容器（図示省略）に排出される。
【００２２】
クリーニングケース部７１ｂにおけるドラム回転方向の上流側の端面は、感光体ドラム２１の軸方向に延びる矩形状の鉛直面とされている。そして、この上流側の端面が、固定板７２をクリーニングケース部７１ｂ（ドラムフレーム７１）に取付けるための固定板取付面７１ｆを構成している。固定板７２の下端部は、ケース部７１ｂの内方側に向かってＬ字状に折れ曲がってシール取付部７２ｔを形成している。シール取付部７２ｔには、フィルム状のシール部材７３が取付けられている。シール部材７３は、例えばポリエチレンテレフタラート（ＰＥＴ）フィルムにより構成される。シール部材７３は、感光体ドラム２１の軸方向に延びる矩形状に形成されている。そして、シール部材７３の一方の長辺部がシール取付部７２ｔに固定され、他方の長辺部が感光体ドラム２１の周面に当接している。そうして、シール部材７３は、クリーニングケース部７１ｂ内のトナーが、クリーニングケース部７１ｂと感光体ドラム２１との隙間からドラム回転方向の上流側に漏出するのを防止している。
【００２３】
上記用紙分離装置３１は、用紙Ｐがクリーニングケース部７１ｂに進入しないように、用紙Ｐを感光体ドラム２１の周面から分離して用紙搬送方向の下流側に案内（ガイド）する機能を有している。具体的には、用紙分離装置３１は、用紙分離機能と用紙ガイド機能とを併せ持つ第１アセンブリ８１と、用紙ガイド機能のみを有する第２アセンブリ８２とを有している。両アセンブリ８１，８２は、共通の（同じ）ホルダー１００を有している。尚、以下の説明では、特に断らない限り、両アセンブリ８１，８２が複写機１内のドラムユニット７０に組み付けられた状態（図３の状態）にあるものとして説明を行う。
【００２４】
図６に示すように、第１アセンブリ８１は、ホルダー１００に分離爪９２及びガイドローラー９１を保持させて構成されている。ホルダー１００は、ホルダー本体１０１、一対の腕部１０２、一対の係合爪１０３、一対の係合爪１０４、及び一対の縦板部１０５を有している。ホルダー本体１０１は、略Ｔ字枠状をなしている。一対の腕部１０２は、ホルダー本体１０１の下端部からドラム軸方向の両側に延びている。各腕部１０２は、上下方向に可撓可能に構成されている。一対の係合爪１０３は、一対の腕部１０２の先端部からそれぞれ下側に突出している。一対の係合爪１０４は、ホルダー本体１０１の上端部から上側に突出している。
【００２５】
上記一対の縦板部１０５は、ホルター本体１０１の厚さ方向の一側に固定されている。両縦板部１０５は、ドラム軸方向に間隔空けて配置されている。両縦板部１０５の上端部には、ドラム軸方向に貫通する第１軸受孔部１０５ｆが形成されている。この第１軸受孔部１０５ｆには、ガイドローラー９１の支持軸９１ａが回転可能に嵌合されている。両縦板部１０５の上下方向の中間部には、第２軸受孔部１０５ｇが形成されている。この第２軸受孔部１０５ｇには、分離爪９２の支持軸９２ａが回転可能に嵌合されている。
【００２６】
ガイドローラー９１の周面は、周方向に凹部と凸部とが交互に並ぶ鋸歯状をなしている。これにより、ガイドローラー９１と用紙Ｐとの接触面積を極力低減して、用紙Pに熱定着される前のトナーがガイドローラー９１に付着するのを抑制している。
【００２７】
分離爪９２は、その先端部が感光体ドラム２１の周面に圧接されるように、不図示の付勢部材により支持軸９２ａ周りに付勢されている。
【００２８】
図７に示すように、第２アセンブリ８２は、ホルダー１００にガイドローラー９１のみを保持させて構成されている。第２アセンブリ８２の構成は、ホルダー１００に分離爪９２を保持させていない点を除いて、上記第１アセンブリ８１と同様である。したがって、第２アセンブリ８２の詳細な説明は省略する。
【００２９】
図８に示すように、ドラムフレーム７１（クリーニングケース部７１ｂ）の固定板取付面７１ｆには、第１の固定板掛止部７１ｄ、第２の固定板掛止部７１ｅ、及び第１アセンブリ固定部７１ｃが形成されている。上記第１の固定板掛止部７１ｄは合計で４つ形成されていて、ドラム軸方向に間隔を空けて形成されている。第１アセンブリ固定部７１ｃは該各固定掛止部７１ｄの間に１つずつ、合計で３つ形成されている。上記第２の固定掛止部７１ｅは、真ん中の第１センブリ固定部７１ｃを挟んでその両側に１つずつ、合計で２つ形成されている。
【００３０】
図９に示すように、各第１アセンブリ固定部７１ｃは、一対のフレーム側第１突出部７１ｇと、フレーム側第２突出部７１ｈとを有している。上記一対のフレーム側第１突出部７１ｇは、ドラム軸方向に延びる矩形ブロック状に形成されている。両フレーム側第１突出部７１ｇは、ドラム軸方向に間隔を空けて形成されている。両フレーム側第１突出部７１ｇにはそれぞれ、厚さ方向（上下方向）に貫通するフレーム側第１係合孔７１ｊが形成されている。
【００３１】
上記フレーム側第２突出部７１ｈは、フレーム側第１突出部７１ｇに対して上側に間隔を空けて配置されている。フレーム側第２突出部７１ｈは、上側から見て、両フレーム側第１突出部７１ｇ間に跨って配置されている。フレーム側第２突出部７１ｈは、ドラム軸方向に延びる矩形ブロック状に形成されている。フレーム側第２突出部７１ｈには、厚さ方向（上下方向）に貫通するフレーム側第２係合孔７１ｋが形成されている。以上のように構成された第１アセンブリ固定部７１ｃには、後述するように上記第１アセンブリ８１が組付け固定される。
【００３２】
図１０（ａ）に示すように、上記第１の固定掛止部７１ｄは、下側に開放する断面コ字状に形成されている。そして、固定板７２に形成された第１取付孔７２ｂの周縁部分が該固定掛止部７１ｄのコ字状溝に入り込むことにより、固定板７２の図の左右方向の移動が規制されるようになっている。図１０（ｂ）に示すように、第２の固定板掛止部７１ｅは、ドラム軸方向から見て直角三角形状をなす柱状体により構成されている。そして、固定板７２に形成された第２取付孔７２ｃに該固定掛止部７１ｅが嵌り込むことによって、固定板７２の上下方向の移動が規制されるようになっている。そうして、固定板７２は、第１及び第２の固定掛止部７１ｄ，７１ｅを介して、固定板取付面７１ｆに着脱可能に取付けられる。
【００３３】
図１１に示すように、固定板７２は、２つ一組の挿通孔７２ｄと、第２アセンブリ固定部７２ａと、を有している。挿通孔７２ｄは、合計で３組形成されており、各組がドラム軸方向に等間隔に配置されている。第２アセンブリ固定部７２ａは、３組の挿通孔７２ｄの間に１つずつ、合計で２つ形成されている。各第２アセンブリ固定部７２ａの側方にはそれぞれ上記第２取付孔７２ｃが形成されている。上記第１取付孔７２ｂは合計で４つ形成されていて、ドラム軸方向に等間隔に配置されている。
【００３４】
図１２に示すように、第２アセンブリ固定部７２ａは、一対の固定板側第１突出部７２ｇと、固定板側第２突出部７２ｈとを有している。上記一対の固定板側第１突出部７２ｇは、ドラム軸方向に延びる板状片により形成されていて、該ドラム軸方向に間隔を空けて配置されている。各固定板側第１突出部７２ｇは、固定板７２の一部を切欠いて折り曲げることにより形成されている。固定板７２には、この切欠き領域が一対の貫通孔７２ｍとして形成されている。固定板側第１突出部７２ｇの基端部には、固定板側第１係合孔７２ｊ（図１６参照）が形成されている。
【００３５】
上記固定板側第２突出部７２ｈは、上記固定板側第１突出部７２ｇに対して上側に間隔を空けて配置されている。固定板側第２突出部７２ｈは、上側から見て、両固定板側第１突出部７２ｇ間に跨って配置されている。固定板側第２突出部７２ｈは、ドラム軸方向に延びる矩形板状をなしている。固定板側第２突出部７２ｈは、固定板７２の上端部を折り曲げて形成されている。固定板側第２突出部７２ｈには、厚さ方向（上下方向）に貫通する固定板側第２係合孔７２ｋが形成されている。以上のように構成された第２アセンブリ固定部７２ａには、後述するように上記第２アセンブリ８２が組付け固定される。
【００３６】
次に、図１３〜図１５を参照して、用紙分離装置３１のドラムフレーム７１への組付け手順について説明する。
【００３７】
最初の工程では、２つの第２アセンブリ８２を用意して、固定板７２の第２アセンブリ固定部７２ａに組付ける（図１３の最上段の工程）。この組付け作業では、先ず、ホルダー１００に形成された第２係合爪１０４（図１４参照）を、固定板側第２係合孔７２ｋに係合させる。その後、ホルダー１００の腕部１０２を指で上側に押して僅かに撓ませながら、第１係合爪１０３を固定板側第１係合孔７２ｊに挿入する。その後、腕部１０２から指を離すと、腕部１０２が復元力により元の状態に戻って第１係合爪１０３が固定板側第１係合孔７２ｊに係合する。こうして、各第２アセンブリ８２の第２アセンブリ固定部７２ａへの組み付けが完了する。
【００３８】
次の工程では、第２アセンブリ８２が組み付けられた固定板７２をドラムフレーム７１の固定板取付面７１ｆに取付ける（図１３の中段の工程）。固定板７２を固定板取付面７１ｆに取付けると、第１アセンブリ固定部７１ｃを構成するフレーム側第１突出部７１ｇが、固定板７２に形成された挿通孔７２ｄを貫通して外部に露出する。また第１アセンブリ固定部７１ｃを構成するフレーム側第２突出部７１ｈ突出部が、固定板７２の上端縁よりも上側から突出して外部に露出する。すなわち、固定板７２をドラムフレーム７１の固定板取付面７１ｆに固定したとしても、第１アセンブリ固定部７１ｃは固定板７２により隠れることなく外部に露出している。
【００３９】
最終工程では、上記露出した第１アセンブリ固定部７１ｃに第１アセンブリ８１を組付ける（図１３の最下段の工程）。この組付け作業では、先ず、ホルダー１００に形成された第２係合爪１０４（図１５照）を、フレーム側第２係合孔７１ｋに係合させる。その後、ホルダー１００の腕部１０２を指で上側に押して僅かに撓ませながら、第１係合爪１０３をフレーム側第１係合孔７１ｊに挿入する。その後、腕部１０２から指を離すと、腕部１０２が復元力により元の状態に戻って、第１係合爪１０３がフレーム側第１係合孔７１ｊに係合する。こうして、各第１アセンブリ８１の第１アセンブリ固定部７１ｃへの組み付けが完了する。上記３つの工程により、ドラムフレーム７１への用紙分離装置３１の組付けが完了する。
【００４０】
以上説明したように、上記実施形態では、用紙分離装置３１は、用紙分離機能と用紙ガイド機能とを併せ持つ第１アセンブリ８１に加えて、用紙ガイド機能のみを有する第２アセンブリ８２を備えている。したがって、分離爪９２により感光体ドラム２１の周面から分離された後の用紙Ｐの搬送性（ガイド性）を向上させることができる。しかも、上記第１及び第２アセンブリ８１，８２は、同じホルダー１００を使用しているので、部品の共通化を図って製品コストを低減することができる。
【００４１】
また、上記実施形態では、第２アセンブリ８２を固定するための第２アセンブリ固定部７２ａを、ドラムフレーム７１ではなく固定板７２に形成するようにしている。したがって、第２アセンブリ８２の組付け工程（図１３の最上段の工程）と、第１アセンブリ８１の組付け工程（図１３の最下段の工程）とを分離して別工程化することができる。よって、第１アセンブリ８１を誤って第２アセンブリ固定部７２ａに組み付けたり、第２アセンブリ８２を誤って第１アセンブリ固定部７１ｃに組み付けたりといった間違いを防止することができる。
【００４２】
また、上記実施形態では、シール部材７３を固定するための固定板７２に、第２アセンブリ固定部７２ａを形成するようにしている。したがって、既存の固定板７２を利用して、部品点数の増加を抑制することができる。延いては、製品コストを低減することができる。
《実施形態２》
【００４３】
図１７は、実施形態２を示している。この実施形態２は、ドラムフレーム７１の固定板取付面７１ｆの構成が上記実施形態１とは異なる。尚、以下の実施形態では、図１５と同じ部分については同じ符号を付して、その詳細な説明を省略する。
【００４４】
すなわち、本実施形態では、ドラムフレーム７１の固定板取付面７１ｆには、第２アセンブリ８２のホルダー１００に形成された第１係合爪１０３の係合解除側への変位を規制する一対の規制部７１ｐが形成されている。各規制部７１ｐはそれぞれ、固定板７２に形成された一対の貫通孔７２ｍ内に突出するように形成されている。そして、各規制部７１ｐは、貫通孔７２ｍ内において、ホルダー１００の腕部１０２に隣接してその上側に配置されている。したがって、この規制部７１ｐによって腕部１０２の上方への変位が規制され、延いては、規制部７１ｐによって係合爪１０２の上側（つまり係合解除側）への変位が規制される。したがって、一旦、第２アセンブリ固定部７２ａに組付けられた第２アセンブリ８２が不用意に取り外されるのを防止することできる。延いては、第２アセンブリ固定部７２ａに、第１アセンブリ８１が誤って組付けられるのを確実に防止することができる。
【００４５】
《他の実施形態》
【００４６】
上記実施形態では、用紙分離装置３１を感光体ドラム２１に適用した例を説明したが、これに限ったものではなく、例えば、トナーを用紙に熱定着させるための定着ローラー（定着ドラム）４０ａに適用するようにしてもよい。
上記実施形態では、第２アセンブリ８２を固定板７２に固定し、第１アセンブリ８１をドラムフレーム７１に固定するようにしているが、これに限ったものではなく、第１アセンブリ８１を固定板７２に固定し、第２アセンブリ８２をドラムフレーム８１に固定するようにしてもよい。
【００４７】
また、上記実施形態では、画像形成装置の一例として、複写機１について説明したが、本発明に係る画像形成装置は、これに限らず、例えばプリンター、スキャナ装置、又は複合機等の他の画像形成装置としてもよい。
【産業上の利用可能性】
【００４８】
以上説明したように、本発明は、感光体ドラムを有する電子写真方式の画像形成装置に有用であり、特に、感光体ドラムから用紙を分離するための分離手段を備えた画像形成装置に有用である。
【符号の説明】
【００４９】
Ｐ          用紙
１          複写機（画像形成装置）
２１      感光体ドラム（ドラム）
３１      用紙分離装置
７１      ドラムフレーム（フレーム部材）
７１ｃ  第１アセンブリ固定部（ドラムフレームに設けられたアセンブリ固定部）
７１ｆ  取付面（固定板取付面）
７１ｐ  規制部  
７２      固定板
７２ａ  第２アセンブリ固定部（固定板に設けられたアセンブリ固定部）
７２ｇ  固定板側第１突出部（第１突出部）
７２ｈ  固定板側第２突出部（第２突出部）
７２ｊ  固定板側第１係合孔（第１被係合部）
７２ｋ  固定板側第２係合孔（第２被係合部）
８１      第１アセンブリ
８２      第２アセンブリ
９１      ガイドローラー（ガイド部材）
９２      分離爪
１００  ホルダー
１０３  第１係合爪（係合部）
１０４  第２係合爪（係合部）
【図１】
0005873051.tif 000002
【図２】
0005873051.tif 000003
【図３】
0005873051.tif 000004
【図４】
0005873051.tif 000005
【図５】
0005873051.tif 000006
【図６】
0005873051.tif 000007
【図７】
0005873051.tif 000008
【図８】
0005873051.tif 000009
【図９】
0005873051.tif 000010
【図１０】
0005873051.tif 000011
【図１１】
0005873051.tif 000012
【図１２】
0005873051.tif 000013
【図１３】
0005873051.tif 000014
【図１４】
0005873051.tif 000015
【図１５】
0005873051.tif 000016
【図１６】
0005873051.tif 000017
【図１７】
0005873051.tif 000018